(57)【要約】【課題】  電線をハウジングに対して一方側及び他方側のどちら側からでも引き出すことを可能とするとともに、ワイヤカバーを逆向きにして装着した場合にワイヤカバーがハウジングにロックされてしまうおそれを回避できるレバー式コネクタを提供する。【解決手段】  レバー式コネクタ１において、レバー３０がハウジング１０の一方側に倒れる向きで装着されているとき、ワイヤカバー２０を電線引出口２２を先頭にしてハウジング１０の他方側から一方側に向けてスライドさせた場合や、レバー３０がハウジング１０の他方側に倒れる向きで装着されているとき、ワイヤカバー２０を電線引出口２２を先頭にしてハウジング１０の一方側から他方側に向けてスライドさせた場合等において、ワイヤカバー２０のハウジング１０へのロックを防止するロック防止手段４０を、レバー３０及びワイヤカバー２０に設けている。【選択図】      図７
2006344519.tif 000002
【特許請求の範囲】
【請求項１】
コンタクトを有するハウジングと、前記ハウジングに取り付けられ、前記コンタクトに接続された電線を覆うと共に該電線を引き出すための電線引出口を一方の側面に形成したワイヤカバーと、前記ハウジングに対して初期位置と最終位置との間を回動可能に装着され、回動により相手コネクタを嵌合方向に移動させるレバーとを具備したレバー式コネクタであって、
前記レバーは前記初期位置において前記ハウジングの一方側に倒れる向き及びハウジングの他方側に倒れる向きの双方で装着可能となっており、
前記ワイヤカバーは、前記レバーが前記ハウジングの一方側に倒れる向きで装着されているとき、前記電線引出口を先頭にして前記ハウジングの一方側から他方側に向けてスライドさせて前記ハウジングにロック可能となっていると共に、前記レバーが前記ハウジングの他方側に倒れる向きで装着されているとき、前記電線引出口を先頭にして前記ハウジングの他方側から一方側に向けてスライドさせて前記ハウジングにロック可能となっており、
前記レバーが前記ハウジングの一方側に倒れる向きで装着されているとき、前記ワイヤカバーを前記電線引出口を先頭にして前記ハウジングの他方側から一方側に向けてスライドさせた場合及び前記ワイヤカバーを前記電線引出口がある側と反対側を先頭にして前記ハウジングの一方側から他方側に向けてスライドさせた場合に前記ワイヤカバーの前記ハウジングへのロックを防止すると共に、前記レバーが前記ハウジングの他方側に倒れる向きで装着されているとき、前記ワイヤカバーを前記電線引出口を先頭にして前記ハウジングの一方側から他方側に向けてスライドさせた場合及び前記ワイヤカバーを前記電線引出口がある側と反対側を先頭にして前記ハウジングの他方側から一方側に向けてスライドさせた場合に前記ワイヤカバーの前記ハウジングへのロックを防止するロック防止手段を、前記レバー及び前記ワイヤカバーに設けたことを特徴とするレバー式コネクタ。
【請求項２】
前記ロック防止手段が、前記レバーに設けられた第１突起と、前記ワイヤカバーに設けられた、前記第１突起に当接する第２突起とにより構成されていることを特徴とする請求項１記載のレバー式コネクタ。
【発明の詳細な説明】
【技術分野】
【０００１】
本発明は、コネクタ同士の嵌合力を低減させるためのレバー式コネクタに関する。
【背景技術】
【０００２】
従来より、コネクタ同士の嵌合力を低減させるためのレバー式コネクタが提案されている。従来、このレバー式コネクタとして、例えば、図８に示すものが知られている（特許文献１参照）。図８は従来例のレバー式コネクタを示し、（Ａ）はワイヤカバーを非反転向きでハウジングに装着する状態の分解斜視図、（Ｂ）はワイヤカバーを反転向きでハウジングに装着する状態の分解斜視図である。
【０００３】
図８（Ａ）、（Ｂ）において、レバー式コネクタ１０１は、コンタクト（図示せず）を有するハウジング１１０と、ハウジング１１０を収容するワイヤカバー１２０と、ワイヤカバー１２０に対して回動可能に取り付けられたレバー１３０とを具備している。
ハウジング１１０には、複数のコンタクト収容孔１１１が設けられ、各コンタクト収容孔１１１内に電線（図示せず）を接続したコンタクトが収容されるようになっている。そして、ハウジング１１０の嵌合面には、各コンタクト収容孔１１１に連通するコンタクト挿入口１１１ａが形成されている。また、ハウジング１１０の上面には右側後隅部に、下面には左側後隅部に、それぞれ係合突部１１２が形成されている。さらに、ハウジング１１０の右側面には、逆挿入防止片１１３が突設されている。また、ハウジング１１０の、逆挿入防止片１１３を挟んだ上下両側及び逆挿入防止片１１３を設けた側と反対側側面に、それぞれ突起１１４が設けられている。
【０００４】
また、ワイヤカバー１２０は、内部にハウジング収容キャビティ１２２を有するカバー本体１２１を備えている。このハウジング収容キャビティ１２２は、カバー本体１２１の右側面において開口している。ハウジング本体１２１には、ハウジング収容キャビティ１２２に連続し、ハウジング本体１２１の右側面において開口する電線引出口１２３が設けられている。また、カバー本体１２１の上面の右端部には、撓み可能なロック片１２４が設けられ、このロック片１２４には係合突部１１２に係合可能なロック孔１２４ａが形成されている。また、ロック片１２４と対向するカバー本体１２１の底面にも、係合突部１１２に係合可能な係合溝１２５が形成されている。更に、ハウジング本体１２１の嵌合面には、複数のコンタクト挿入口１２６が形成されている。
【０００５】
また、レバー１３０は、１対の脚部１３１とこれら脚部１３１を連結する連結部１３２とを備えた略コ字形に形成され、各脚部１３１の基部には取付孔１３３が形成されている。レバー１３０は、ワイヤカバー１２０のカバー本体１２１の上下両面に設けられた軸部１２８に取付孔１３３を嵌め込むことによって初期位置と最終位置との間を回動可能に装着されている。レバー１３０の初期位置においては、図８（Ａ）、（Ｂ）に示すように、各脚部１３１に設けられた保持孔１３４にワイヤカバー１２０に設けられた保持突起１２９が入り込むことにより、その初期位置状態が保持される。また、レバー１３０の最終位置においては、各脚部１３１に設けられた保持孔１３５にワイヤカバー１２０に設けられた保持突起１２７が入り込むことにより、その最終位置状態が保持される。そして、レバー１３０の各脚部１３１の先端には、相手コネクタ（図示せず）に設けられた係合ピンがカム係合するカム溝１３５が設けられている。
【０００６】
そして、ワイヤカバー１２０はレバー１３０を初期位置に位置させている状態で図８（Ａ）に示す非反転向き及び図８（Ｂ）に示す反転向きでハウジング１１０に装着可能となっている。ワイヤカバー１２０を非反転向きでハウジング１１０に装着する場合には、図８（Ａ）に示すように、ハウジング１１０に対してワイヤカバー１２０を左側に持っていき、図８（Ａ）の矢印方向にワイヤカバー１２０を移動させてハウジング収容キャビティ１２２にハウジング１１０を収容するようにする。そして、ハウジング１１０の係合突部１１２のうち上面側に設けられた係合突部１１２がロック孔１２４ａに係合すれば、ハウジング１１０はハウジング収容キャビティ１２２内にロックされるのである。そして、ワイヤカバー１２０の電線引出口１２３は右側に配され、ハウジング１１０から引き出された電線（図示せず）は、束ねられた状態で電線引出口１２３から右方向へ導出される。
【０００７】
一方、ワイヤカバー１２０を反転向きでハウジング１１０に装着する場合には、図８（Ｂ）に示すように、ワイヤカバー１２０を上下両面を反転させかつハウジング１１０の右側に持っていく。そして、ワイヤカバー１２０を図８（Ｂ）の矢印方向に移動させてハウジング収容キャビティ１２２にハウジング１１０を収容するようにする。そして、ハウジング１１０の係合突起１１２のうち下面側に設けられた係合突起１１２がロック孔１２４ａに係合すれば、ハウジング１１０はハウジング収容キャビティ１２２内にロックされるのである。そして、ワイヤカバー１２０の電線引出口１２３は左側に配され、ハウジング１１０から引き出された電線（図示せず）は、束ねられた状態で電線引出口１２３から左方向へ導出される。
【０００８】
レバー１３０が初期位置にある状態で相手コネクタ（図示せず）をレバー式コネクタ１０１に嵌合し、レバー１３０を最終位置まで回動すると、相手コネクタに設けられた係合ピンがカム溝１３５に沿って嵌合方向に引き込まれ、相手コネクタとレバー式コネクタ１０１との嵌合動作が完了することになる。
このレバー式コネクタ１０１においては、ワイヤカバー１２０を非反転向き及び反転向きでハウジング１１０に装着可能となっているので、電線を左右どちら側からでも引き出すことができ、配索の自由度が広がり、電線引き回し作業を効率よく行うことができる。
【特許文献１】特開平１０−７４５６１号公報
【発明の開示】
【発明が解決しようとする課題】
【０００９】
しかしながら、図８に示す従来のレバー式コネクタ１０１にあっては、電線をハウジング１１０に対して左右どちら側からでも引き出すことができる構造としているものの、ワイヤカバー１２０の形状をハウジング１１０を収容可能な形状とすると共に、レバー１３０をワイヤカバー１２０に装着し、レバー１３０を装着したワイヤカバー１２０をハウジング１１０に装着する構造をとっているので、レバー式コネクタ１０１自体の大きさが大型化してしまうという問題がある。
【００１０】
一方、電線をハウジングに対して左右どちら側からでも引き出すことを可能とするとともに、コネクタ自体の大型化を回避するものとして、例えば、図９に示すものも開発されている。図９は従来の他の例のレバー式コネクタの斜視図である。
図９に示すレバー式コネクタ２０１は、コンタクトを有するハウジング２１０と、ハウジング２１０に取り付けられ、コンタクトに接続された電線（図示せず）を覆うと共に電線を引き出すための電線引出口２２１を一方の側面に形成したワイヤカバー２２０と、ハウジング２１０に対して初期位置と最終位置との間を回動可能に装着されるレバー２３０とを具備している。ここで、レバー２３０は初期位置においてハウジング２１０の右側に倒れる向き、及び初期位置においてハウジング２１０の左側に倒れる向きの双方で装着可能となっている。図９においては、レバー２３０は初期位置にありハウジング２１０の右側に倒れる向きで装着されている。また、ワイヤカバー２２０は、図９に示すようにレバー２３０がハウジング２１０の右側に倒れる向きで装着されているとき、電線引出口２２１を先頭にしてハウジング２１０の右側から左側に向けて矢印Ａ方向にスライドさせてハウジング２１０にロックされるようになっている。また、ワイヤカバー２２０は、レバー２３０がハウジング２１０の左側に倒れる向きで装着されているときには、電線引出口２２１を先頭にしてハウジング２１０の左側から右側に向けてスライドさせてハウジング２１０にロックされるようになっている。
【００１１】
そして、レバー２３０を初期位置から最終位置に回動させると、回動により相手コネクタ（図示せず）を嵌合方向（図９においては下から上へ向かう方向）に移動させる。そして、レバー２３０が最終位置に位置すると、レバー２３０に設けられた係止部（図示せず）がワイヤカバー２２０の上面に設けられたロック部２２２にロックされ、レバー２３０の最終位置が保持されるようになっている。
【００１２】
このレバー式コネクタ２０１によれば、電線をハウジング２１０に対して左右どちら側からでも引き出すことができるとともに、ワイヤカバー２２０の形状を電線を覆いかつ引き出すためのみの形状とすると共に、レバー２３０をハウジング２１０に装着し、ワイヤカバー２２０をハウジング２１０に装着する構造をとっているので、レバー式コネクタ２０１自体の大きさを小型化することができる。
【００１３】
しかしながら、図９に示すレバー式コネクタ２０１にあっては、レバー２３０がハウジング２１０の右側に倒れる向きで装着されているときに、ワイヤカバー２２０を電線引出口２２１を先頭にしてハウジング２１０の左側から右側に向けてスライドさせた場合及びワイヤカバー２２０を電線引出口２２１がある側と反対側を先頭にしてハウジング２１０の右側から左側に向けてスライドさせた場合において、ワイヤカバー２２０がハウジング２１０にロックされてしまうおそれがある。また、反対にレバー２３０がハウジング２１０の左側に倒れる向きで装着されているときに、ワイヤカバー２２０を電線引出口２２１を先頭にしてハウジングの右側から左側に向けてスライドさせた場合及びワイヤカバー２２０を電線引出口２２１がある側と反対側を先頭にしてハウジング２１０の左側から右側に向けてスライドさせた場合においても、ワイヤカバー２２０がハウジング２１０にロックされてしまうおそれがある。このような場合、ワイヤカバー２２０の装着向きが本来意図した向きと反対になってしまい、電線の引出方向が本来の意図と反対になってしまうという問題がある。また、レバー２３０の装着向きに対してワイヤカバー２２０の装着向きが反対となるので、レバー２３０を初期位置から最終位置に回動させたときに、レバー２３０がワイヤカバー２２０に接触してしまって円滑に回動できなかったり、あるいは回動できたとしても最終位置においてレバー２３０をロックできないという問題がある。
【００１４】
従って、本発明は上述の問題点に鑑みてなされたものであり、その目的は、電線をハウジングに対して一方側及び他方側のどちら側からでも引き出すことを可能とするとともに、コネクタ自体の大型化を回避し、更にワイヤカバーを逆向きにして装着した場合にワイヤカバーがハウジングにロックされてしまうおそれを回避することができるレバー式コネクタを提供することにある。
【課題を解決するための手段】
【００１５】
上記問題を解決するため、本発明のうち請求項１に係るレバー式コネクタは、コンタクトを有するハウジングと、前記ハウジングに取り付けられ、前記コンタクトに接続された電線を覆うと共に該電線を引き出すための電線引出口を一方の側面に形成したワイヤカバーと、前記ハウジングに対して初期位置と最終位置との間を回動可能に装着され、回動により相手コネクタを嵌合方向に移動させるレバーとを具備したレバー式コネクタであって、前記レバーは前記初期位置において前記ハウジングの一方側に倒れる向き及びハウジングの他方側に倒れる向きの双方で装着可能となっており、前記ワイヤカバーは、前記レバーが前記ハウジングの一方側に倒れる向きで装着されているとき、前記電線引出口を先頭にして前記ハウジングの一方側から他方側に向けてスライドさせて前記ハウジングにロック可能となっていると共に、前記レバーが前記ハウジングの他方側に倒れる向きで装着されているとき、前記電線引出口を先頭にして前記ハウジングの他方側から一方側に向けてスライドさせて前記ハウジングにロック可能となっており、前記レバーが前記ハウジングの一方側に倒れる向きで装着されているとき、前記ワイヤカバーを前記電線引出口を先頭にして前記ハウジングの他方側から一方側に向けてスライドさせた場合及び前記ワイヤカバーを前記電線引出口がある側と反対側を先頭にして前記ハウジングの一方側から他方側に向けてスライドさせた場合に前記ワイヤカバーの前記ハウジングへのロックを防止すると共に、前記レバーが前記ハウジングの他方側に倒れる向きで装着されているとき、前記ワイヤカバーを前記電線引出口を先頭にして前記ハウジングの一方側から他方側に向けてスライドさせた場合及び前記ワイヤカバーを前記電線引出口がある側と反対側を先頭にして前記ハウジングの他方側から一方側に向けてスライドさせた場合に前記ワイヤカバーの前記ハウジングへのロックを防止するロック防止手段を、前記レバー及び前記ワイヤカバーに設けたことを特徴としている。
【００１６】
また、本発明のうち請求項２に係るレバー式コネクタは、請求項１記載のレバー式コネクタにおいて、前記ロック防止手段が、前記レバーに設けられた第１突起と、前記ワイヤカバーに設けられた、前記第１突起に当接する第２突起とにより構成されていることを特徴としている。
【発明の効果】
【００１７】
本発明のうち請求項１に係るレバー式コネクタによれば、レバーは初期位置においてハウジングの一方側に倒れる向き及びハウジングの他方側に倒れる向きの双方で装着可能となっており、ワイヤカバーは、レバーがハウジングの一方側に倒れる向きで装着されているとき、電線引出口を先頭にしてハウジングの一方側から他方側に向けてスライドさせてハウジングにロック可能となっていると共に、レバーがハウジングの他方側に倒れる向きで装着されているとき、電線引出口を先頭にしてハウジングの他方側から一方側に向けてスライドさせてハウジングにロック可能となっているので、電線をハウジングに対して一方側及び他方側のどちら側からでも引き出すことができる。また、ワイヤカバーの形状を電線を覆いかつ引き出す形状とすると共に、レバーをハウジングに装着し、ワイヤカバーをハウジングに装着する構造をとっているので、レバー式コネクタ２０１自体の大型化を回避することができる。
【００１８】
そして、レバー式コネクタには、レバーがハウジングの一方側に倒れる向きで装着されているとき、ワイヤカバーを電線引出口を先頭にしてハウジングの他方側から一方側に向けてスライドさせた場合及びワイヤカバーを電線引出口がある側と反対側を先頭にしてハウジングの一方側から他方側に向けてスライドさせた場合にワイヤカバーのハウジングへのロックを防止すると共に、レバーがハウジングの他方側に倒れる向きで装着されているとき、ワイヤカバーを電線引出口を先頭にしてハウジングの一方側から他方側に向けてスライドさせた場合及びワイヤカバーを電線引出口がある側と反対側を先頭にしてハウジングの他方側から一方側に向けてスライドさせた場合にワイヤカバーのハウジングへのロックを防止するロック防止手段を、レバー及びワイヤカバーに設けたので、ワイヤカバーを逆向きにしてハウジングに装着した場合に、ワイヤカバーがハウジングにロックされてしまうおそれを回避することができる。
【００１９】
また、本発明のうち請求項２に係るレバー式コネクタによれば、請求項１記載のレバー式コネクタにおいて、前記ロック防止手段が、前記レバーに設けられた第１突起と、前記ワイヤカバーに設けられた、前記第１突起に当接する第２突起とにより構成されているので、簡単な構成でロック防止手段を構成することができる。
【発明を実施するための最良の形態】
【００２０】
次に本発明の実施形態を図面を参照して説明する。図１は本発明に係るレバー式コネクタであって、レバーが初期位置においてハウジングの右側に倒れる向きに装着され、ワイヤカバーが電線引出口を先頭にしてハウジングの右側から左側に向けてスライドさせてハウジングにロックされた状態の斜視図である。図２は図１に示す状態のレバー式コネクタからワイヤカバーを取り外した状態の斜視図である。図３は本発明に係るレバー式コネクタであって、レバーが初期位置においてハウジングの左側に倒れる向きに装着され、ワイヤカバーが電線引出口を先頭にしてハウジングの左側から右側に向けてスライドさせてハウジングにロックされた状態の斜視図である。図４は図３に示す状態のレバー式コネクタからワイヤカバーを取り外した状態の斜視図である。図５はワイヤカバーの斜視図である。図６はレバーの斜視図である。図７はレバーがハウジングの右側に倒れる向きで装着されているときにおいて、ワイヤカバーを電線引出口を先頭にしてハウジングの左側から右側に向けてスライドさせた場合の斜視図である。
【００２１】
図１乃至図４において、レバー式コネクタ１は、ハウジング１０と、ハウジング１０に取付られたワイヤカバー２０と、ハウジング１０に対して初期位置と最終位置との間を回動可能に取り付けられたレバー３０とを具備している。
ここで、ハウジング１０は、絶縁性の樹脂を成形することによって形成され、相手コネクタ（図示せず）が下方（図１における下方）から嵌合すると共に複数のコンタクト（図示せず）を収容した嵌合部１１と、嵌合部１１の上部に設けられたシール部材収容部１２とを具備している。嵌合部１１は略矩形形状に形成され、その周囲には、リング状の防水シール１３が取り付けられている。そして、嵌合部１１に収容された各コンタクトには、図示しない電線が接続されている。また、シール部材収容部１２は略矩形形状に形成され、その内部にはシール部材１７が収容されている。そして、各コンタクトに接続された電線は、シール部材１７に形成された貫通孔１７ａにシールされつつ貫通孔１７ａを通ってハウジング１０の上方に導出されるようになっている。
【００２２】
また、ハウジング１０のシール部材収容部１２の両側壁（図１において前側壁と後側壁）には、左右方向に延びる凹状の１対のレール部１４が設けられている。そして、各レール部１４の側壁面には、左右方向において所定間隔離れた位置に第１及び第２ロック用凹部１５ａ，１５ｂ（図２及び図４において手前側の側壁に設けられた第１及び第２ロック用凹部のみ図示）が設けられている。第１ロック用凹部１５ａは各レール部１４の側壁面の右端部近傍に形成され、その一方、第２ロック用凹部１５ｂは各レール部１４の側壁面の左端部近傍に形成されている。更に、ハウジング１０のシール部材収容部１２の両側壁であってレール部１４の下方には、レバー３０を軸支するための１対の支軸１６が設けられている。
【００２３】
次に、レバー３０は、絶縁性の樹脂を成形することによって形成され、図１乃至図４及び図６に示すように、１対の脚部３１と、これら脚部３１を脚部３１の一端で連結する連結部３２とを備えた略コ字形に形成されている。そして、各脚部３１には、取付孔３３が形成されると共に、取付孔３３を挟んで連結部３２がある側と反対側に相手に設けられた係合ピン（図示せず）とカム係合するカム溝３４が形成されている。そして、レバー３０は、ハウジング１０の支軸１６に取付孔３３を嵌め込むことによって初期位置と最終位置との間を回動可能に装着されている。レバー３０は、その初期位置において、図１及び図２に示すようにハウジング１０の右側に倒れる向きと、図３及び図４に示すようにハウジング１０の左側に倒れる向きの双方で装着可能となっている。そして、図６に示すように、レバー３０の各脚部３１の内面には係合突起３５が設けられ、レバー３０の連結部３２にはロック部３６が設けられている。ハウジング１０のシール部材収容部１２の側壁面には、左右方向において所定間隔離れた位置に第１及び第２保持凹部（図示せず）が設けられている。そして、係合突起３５は、レバー３０が初期位置にあってハウジング１０の右側に倒れる向きに装着されているときに、ハウジング１０の右側の第１保持用凹部に係合してその初期位置を保持し、レバー３０が初期位置にあってハウジング１０の左側に倒れる向きに装着されているときに、ハウジング１０の左側の第２保持用凹部に係合してその初期位置を保持するようになっている。また、ロック部３６は、レバー３０が最終位置にあるときに、ワイヤカバー２０に設けられたロック片２４（図１、図７参照）に係合してその最終位置を保持するようになっている。
【００２４】
また、ワイヤカバー２０は、絶縁性の樹脂を成形することによって形成され、図１、図３及び図５に示すように、上面を湾曲面２３とし、下面を開口したカバー本体２１を備えている。カバー本体２１は、各コンタクト（図示せず）に接続されてハウジング１０から上方に導出した電線を覆うよう構成され、ハウジング本体２１の左側面（図１おいて左側面）には電線引出口２２が形成されている。そして、カバー本体２１に覆われた電線は電線引出口２２から外部に導出されるようになっている。また、カバー本体２１の上面には、レバー３０のロック部３６が係合する弾性変形可能なロック片２４が設けられている。更に、カバー本体２１の両側壁（図１において前側壁と後側壁）には、ハウジング１０のレール部１４に嵌め込まれて左右方向にスライドする、左右方向に延びる１対の摺動爪２５が設けられている。そして、図５に示すように、各摺動爪２５の内側面の右端部には、ロック突起２６が設けられている（図５には一方のロック突起２６のみ図示）。
【００２５】
そして、ワイヤカバー２０は、図２に示すように初期位置においてレバー３０がハウジング１０の右側に倒れる向きで装着されているときに、図１に示すように電線引出口２２を先頭にしてハウジング１０の右側から左側に向けて矢印Ａ方向にスライドさせられる。このとき、ワイヤカバー２０の摺動爪２５がハウジング１０のレール部１４に嵌め込まれて右側から左側に向けてスライドされる。そして、摺動爪２５に設けられたロック突起２６がハウジング１０に設けられた第１ロック用凹部１５ａに入り込むことにより、ワイヤカバー２０はハウジング１０にロックされる。一方、ワイヤカバー２０は、図４に示すように初期位置においてレバー３０がハウジング１０の左側に倒れる向きで装着されているときに、図３に示すように電線引出口２２を先頭にしてハウジング１０の左側から右側に向けて矢印Ｃ方向にスライドさせられる。このとき、ワイヤカバー２０の摺動爪２５がハウジング１０のレール部１４に嵌め込まれて左側から右側に向けてスライドされる。そして、摺動爪２５に設けられたロック突起２６がハウジング１０に設けられた第２ロック用凹部１５ｂに入り込むことにより、ワイヤカバー２０はハウジング１０にロックされる。
【００２６】
このように、レバー３０は初期位置においてハウジング１０の右側に倒れる向き及びハウジング１０の左側に倒れる向きの双方で装着可能となっており、ワイヤカバー２０は、レバー３０がハウジング１０の右側に倒れる向きで装着されているとき、電線引出口２２を先頭にしてハウジング１０の右側から左側に向けてスライドさせてハウジング１０にロック可能となっていると共に、レバー３０がハウジング１０の左側に倒れる向きで装着されているとき、電線引出口２２を先頭にしてハウジングの左側から右側に向けてスライドさせてハウジング１０にロック可能となっている。このため、電線をハウジング１０に対して右側及び左側のどちら側からでも引き出すことができる。また、ワイヤカバー２０の形状を電線を覆いかつ引き出す形状とすると共に、レバー３０をハウジング１０に装着し、ワイヤカバー２０をハウジング１０に装着する構造をとっているので、レバー式コネクタ自体の大型化を回避することができる。
【００２７】
ここで、図２に示すようにレバー３０がハウジング１０の右側に倒れる向きで装着されているときにおいて、図７に示すようにワイヤカバー２０を電線引出口２２を先頭にしてハウジング１０の左側から右側に向けて矢印Ｅ方向にスライドさせたり、あるいは図示はしないがワイヤカバー２０を電線引出口２２がある側と反対側を先頭にしてハウジング１０の右側から左側に向けてスライドさせたりする場合がある。これらの場合において、摺動爪２５に設けられたロック突起２６が第２ロック用凹部１５ｂに入り込んでロックされてしまうと、ワイヤカバー２０の装着向きが本来意図した向きと反対になってしまい、電線の引出方向が本来の意図と反対になってしまうという問題がある。
【００２８】
また、反対に図４に示すようにレバー３０がハウジング１０の左側に倒れる向きで装着されているときにおいて、図示はしないがワイヤカバー２０を電線引出口２２を先頭にしてハウジング１０の右側から左側に向けてスライドさせたり、あるいはワイヤカバー２０を電線引出口２２がある側と反対側を先頭にしてハウジング１０の左側から右側に向けてスライドさせたりする場合もある。これらの場合において、摺動爪２５に設けられたロック突起２６が第１ロック用凹部１５ａに入り込んでロックされてしまうと、前述と同様に、ワイヤカバー２０の装着向きが本来意図した向きと反対になってしまい、電線の引出方向が本来の意図と反対になってしまうという問題がある。
【００２９】
そこで、この問題を回避するため、レバー式コネクタ１においては、ロック防止手段４０が設けられている。ロック防止手段４０は、レバー３０の１対の脚部３１のそれぞれに設けられた１対の第１突起３７と、ワイヤカバー２０に設けられた、１対の第１突起３７に当接する１対の第２突起２７とにより構成されている。各第１突起３７は、レバー３０を図１乃至図４に示すように初期位置に位置させたときに、高さ方向においてハウジング１０のレール部１４に対向する位置となるように各脚部３１の内面上端部に形成されている。また、各第２突起２７は、ワイヤカバー２０をスライドさせて装着するときに、高さ方向において各第１突起３７とほぼ同じ高さ位置となるようにワハウジング本体２１の各側壁から突出するように形成されている。そして、各第１突起３７及び各第２突起２７の左右方向位置については、レバー３０がハウジング１０の右側に倒れる向きで装着されているときに、図７に示すようにワイヤカバー２０を電線引出口２２を先頭にしてハウジング１０の左側から右側に向けて矢印Ｅ方向にスライドさせた場合及びワイヤカバー２０を電線引出口２２がある側と反対側を先頭にしてハウジング１０の右側から左側に向けてスライドさせた場合に、各第１突起３７に各第２突起２７が当接することにより、摺動爪２５に設けられたロック突起２６が第２ロック用凹部１５ｂに入り込んでロックされてしまうのを防止できる位置である。更に、各第１突起３７及び各第２突起２７の左右方向位置は、反対にレバー３０がハウジング１０の左側に倒れる向きで装着されているときに、ワイヤカバー２０を電線引出口２２を先頭にしてハウジング１０の右側から左側に向けてスライドさせた場合及びワイヤカバー２０を電線引出口２２がある側と反対側を先頭にしてハウジング１０の左側から右側に向けてスライドさせた場合に、各第１突起３７に各第２突起２７が当接することにより、摺動爪２５に設けられたロック突起２６が第１ロック用凹部１５ａに入り込んでロックされてしまうのを防止できる位置とする。
【００３０】
このような構成のロック防止手段４０をレバー３０及びワイヤカバー２０に設けることにより、ワイヤカバー２０を逆向きにしてハウジング１０に装着した場合に、摺動爪２５に設けられたロック突起２６が第２ロック用凹部１５ｂに入り込んでロックされてしまったり、ロック突起２６が第１ロック用凹部１５ａに入り込んでロックされてしまったりしてワイヤカバー２０がハウジング１０にロックされてしまうことを回避することができる。このため、ワイヤカバー２０の装着向きが本来意図した向きと反対になってしまうことはなく、電線の引出方向が本来の意図と反対になってしまうことはない。
【００３１】
そして、図１に示すように、レバー２０が初期位置においてハウジング１０の右側に倒れる向きに装着され、ワイヤカバー２０が電線引出口２２を先頭にしてハウジング１０の右側から左側に向けてスライドさせてハウジング１０にロックされた状態において、相手コネクタをハウジング１０の下方から嵌合部１１に嵌合する。そして、レバー３０を初期位置から図１における矢印Ｂ方向に回動する。すると、相手コネクタの係合ピン（図示せず）がカム溝３４に沿って嵌合方向（図１において下方から上方）に引き込まれ、相手コネクタが嵌合方向に移動する。そして、レバー３０を更に矢印Ｂ方向に回動して最終位置に位置させる。これにより、相手コネクタのレバー式コネクタ１への嵌合が完了する。そして、レバー３０は、最終位置に位置すると、レバー３０に設けられたロック部３６がワイヤカバー２０の上面に設けられたロック片２４に係合してロックされる。
【００３２】
また、図３に示すように、レバー２０が初期位置においてハウジング１０の左側に倒れる向きに装着され、ワイヤカバー２０が電線引出口２２を先頭にしてハウジング１０の左側から右側に向けてスライドさせてハウジング１０にロックされた状態において、相手コネクタをハウジング１０の下方から嵌合部１１に嵌合する。そして、レバー３０を初期位置から図３における矢印Ｄ方向に回動する。すると、相手コネクタの係合ピンがカム溝３４に沿って嵌合方向（図３において下方から上方）に引き込まれ、相手コネクタが嵌合方向に移動する。そして、レバー３０を更に矢印Ｄ方向に回動して最終位置に位置させる。これにより、相手コネクタのレバー式コネクタ１への嵌合が完了する。そして、レバー３０は、最終位置に位置すると、レバー３０に設けられたロック部３６がワイヤカバー２０の上面に設けられたロック片２４に係合してロックされる。
【００３３】
なお、前述したように、ロック防止手段４０をレバー３０及びワイヤカバー２０に設けることにより、ワイヤカバー２０を逆向きにしてハウジング１０に装着した場合に、ワイヤカバー２０のハウジング１０へのロックを回避することができ、レバー３０の装着向きに対してワイヤカバー２０の装着向きが反対とならないので、レバー３０を初期位置から最終位置に回動させたときに、レバー３０がワイヤカバー２０に接触してしまう不都合を回避することができると共に、レバー３０を最終位置においてロックできない不都合を回避することができる。
【００３４】
以上、本発明の実施形態について説明してきたが、本発明はこれに限定されずに種々の変更、改良を行うことができる。
例えば、ロック防止手段４０は、レバー３０がハウジング１０の一方側（右側）に倒れる向きで装着されているとき、ワイヤカバー２０を電線引出口２２を先頭にしてハウジング１０の他方側（左側）から一方側（右側）に向けてスライドさせた場合及びワイヤカバー２０を電線引出口２２がある側と反対側を先頭にしてハウジング１０の一方側（右側）から他方側（左側）に向けてスライドさせた場合にワイヤカバー２０のハウジング１０へのロックを防止すると共に、レバー３０がハウジング１０の他方側（左側）に倒れる向きで装着されているとき、ワイヤカバー２０を電線引出口２２を先頭にしてハウジング１０の一方側（右側）から他方側（左側）に向けてスライドさせた場合及びワイヤカバー２０を電線引出口２２がある側と反対側を先頭にしてハウジング１０の他方側（左側）から一方側（右側）に向けてスライドさせた場合にワイヤカバー２０のハウジング１０へのロックを防止するものであれば、レバー３０の１対の脚部３１のそれぞれに設けられた１対の第１突起３７と、ワイヤカバー２０に設けられた、１対の第１突起３７に当接する１対の第２突起２７とにより構成する必要は必ずしもない。
【図面の簡単な説明】
【００３５】
【図１】本発明に係るレバー式コネクタであって、レバーが初期位置においてハウジングの右側に倒れる向きに装着され、ワイヤカバーが電線引出口を先頭にしてハウジングの右側から左側に向けてスライドさせてハウジングにロックされた状態の斜視図である。
【図２】図１に示す状態のレバー式コネクタからワイヤカバーを取り外した状態の斜視図である。
【図３】本発明に係るレバー式コネクタであって、レバーが初期位置においてハウジングの左側に倒れる向きに装着され、ワイヤカバーが電線引出口を先頭にしてハウジングの左側から右側に向けてスライドさせてハウジングにロックされた状態の斜視図である。
【図４】図３に示す状態のレバー式コネクタからワイヤカバーを取り外した状態の斜視図である。
【図５】ワイヤカバーの斜視図である。
【図６】レバーの斜視図である。
【図７】レバーがハウジングの右側に倒れる向きで装着されているときにおいて、ワイヤカバーを電線引出口を先頭にしてハウジングの左側から右側に向けてスライドさせた場合の斜視図である。
【図８】従来例のレバー式コネクタを示し、（Ａ）はワイヤカバーを非反転向きでハウジングに装着する状態の分解斜視図、（Ｂ）はワイヤカバーを反転向きでハウジングに装着する状態の分解斜視図である。
【図９】従来の他の例のレバー式コネクタの斜視図である。
【符号の説明】
【００３６】
１  レバー式コネクタ
１０  ハウジング
２０  ワイヤカバー
２２  電線引出口
２７  第２突起
３０  レバー
３７  第１突起
４０  ロック防止手段
【図１】
2006344519.tif 000003
【図２】
2006344519.tif 000004
【図３】
2006344519.tif 000005
【図４】
2006344519.tif 000006
【図５】
2006344519.tif 000007
【図６】
2006344519.tif 000008
【図７】
2006344519.tif 000009
【図８】
2006344519.tif 000010
【図９】
2006344519.tif 000011